(57)【要約】【課題】小型化、省電力化及び低価格化の要請を満たすことができるマルチバンド対応の通信端末装置、通信回路及び通信方法を提供する。【解決手段】分配信号生成部１２において、第３周波数帯出力部１１ｃから出力された送信信号から第１の分配信号及び第２の分配信号を生成する。そして、第１の分配信号を第１増幅部１３ａで増幅し、第２の分配信号を第２増幅部１３ｂで増幅する。そして、第１増幅部１３ａで増幅した第１の分配信号、及び、第２増幅部１３ｂで増幅した第２の分配信号を合成処理部１５で合成して第３の周波数帯の電波として送出する。よって、第１の周波数帯、第２の周波数帯及び第３の周波数帯の信号で無線通信を行うマルチバンド対応の通信端末装置１００において、第３の周波数帯の送信信号に適合する特性を有する増幅部が省略可能になる。【選択図】図１
2011114367.tif 000002
【特許請求の範囲】
【請求項１】
第１の周波数帯の送信信号と、前記第１の周波数帯よりも高い周波数帯の第２の周波数帯の送信信号と、前記第１の周波数帯及び前記第２の周波数帯の間の第３の周波数帯の送信信号とを出力する送信信号出力部と、
前記送信信号出力部から出力された前記第３の周波数帯の送信信号から第１の分配信号及び第２の分配信号を生成する分配信号生成部と、
前記送信信号出力部から出力された前記第１の周波数帯の送信信号及び前記分配信号生成部により生成された前記第１の分配信号を増幅する第１の増幅部と、
前記送信信号出力部から出力された前記第２の周波数帯の送信信号及び前記分配信号生成部により生成された前記第２の分配信号を増幅する第２の増幅部と、
前記第１の増幅部により増幅された第１の分配信号及び前記第２の増幅部により増幅された第２の分配信号を合成処理する合成処理部と
を備えたことを特徴とする通信端末装置。
【請求項２】
前記分配信号生成部により生成された前記第１の分配信号の位相を調整する位相調整部をさらに備え、
前記第１の増幅部は、前記位相調整部により位相が調整された前記第１の分配信号を増幅することを特徴とする請求項１記載の通信端末装置。
【請求項３】
通信端末装置の通信回路が行う通信方法であって、
第１の周波数帯の送信信号と、前記第１の周波数帯よりも高い周波数帯の第２の周波数帯の送信信号と、前記第１の周波数帯及び前記第２の周波数帯の間の第３の周波数帯の送信信号とを出力する送信信号出力ステップと、
前記送信信号出力ステップにより出力された前記第３の周波数帯の送信信号から第１の分配信号及び第２の分配信号を生成するする分配信号生成ステップと、
前記分配信号生成ステップにより分配された前記第１の分配信号の位相を調整する位相調整ステップと、
前記送信信号出力ステップにより出力された前記第１の周波数帯、及び、前記位相調整ステップにより位相が調整された前記第１の分配信号を増幅する第１の増幅ステップと、
前記送信信号出力ステップにより出力された前記第２の周波数帯、及び、前記分配ステップにより分配された前記第２の分配信号を増幅する第２の増幅ステップと、
前記第１の増幅ステップにより増幅された前記第１の分配信号及び前記第２の増幅ステップにより増幅された前記第２の分配信号を合成処理する合成処理ステップと
を含んだことを特徴とする通信方法。
【請求項４】
第１の周波数帯の送信信号と、前記第１の周波数帯よりも高い周波数帯の第２の周波数帯の送信信号と、前記第１の周波数帯及び前記第２の周波数帯の間の第３の周波数帯の送信信号とを出力する送信信号出力部と、
前記送信信号出力部から出力された前記第３の周波数帯の送信信号から第１の分配信号及び第２の分配信号を生成する分配信号生成部と、
前記送信信号出力部から出力された前記第１の周波数帯の送信信号及び前記分配信号生成部により生成された前記第１の分配信号を増幅する第１の増幅部と、
前記送信信号出力部から出力された前記第２の周波数帯の送信信号及び前記分配信号生成部により分配された前記第２の分配信号を増幅する第２の増幅部と、
前記第１の増幅部により増幅された前記第１の分配信号及び前記第２の増幅部により増幅された前記第２の分配信号を合成処理する合成処理部と
を備えたことを特徴とする通信回路。
【請求項５】
前記分配信号生成部により生成された前記第１の分配信号の位相を調整する位相調整部をさらに備え、
前記第１の増幅部は、前記位相調整部により位相が調整された前記第１の分配信号を増幅することを特徴とする請求項４記載の通信回路。
【発明の詳細な説明】
【技術分野】
【０００１】
開示技術は、通信端末装置、通信回路及び通信方法に関する。
【背景技術】
【０００２】
近年、携帯電話システムに代表される無線通信システムでは、１台の通信端末装置が複数の周波数帯に対応することが求められている。このため、従来の通信端末装置では、各周波数帯の処理を行うためのアナログ回路がそれぞれ周波数帯毎に設けられていた。
【０００３】
図７は、1.5GHz、1.7GHz、2.0GHzと言う３つの周波数帯に対応できるＷ−ＣＤＭＡ（Wideband  Code  Division  Multiple  Access）方式を採用する通信端末装置の無線通信回路の構成を示す図である。
【０００４】
図７に示した無線通信回路４０には、1.5GHz、1.7GHz、2.0GHzの周波数帯ごとにパワーアンプ（以下、「ＰＡ（Power  Amplifier）」と言う）４３ａ〜４３ｃが設けられている。ＰＡ４３ａ〜４３ｃは、1.5GHz、1.7GHz、2.0GHzの周波数帯それぞれに適合する利得特性を有する増幅回路である。
【０００５】
このように、従来のマルチバンド対応の通信端末装置は、周波数帯ごとにアナログ回路からなるＰＡが設けられることが一般的である。ただし、周波数帯ごとに別個のＰＡを設けるのは非効率であるので、共通のＰＡを用いて複数の周波数帯に対応する従来技術が知られている。
【０００６】
例えば、ＰＡのバイアスポイントを切り替えることで、１つのＰＡが複数の周波数帯の信号を増幅する従来技術が存在する。また、ローパスフィルタ及びハイパスフィルタ若しくはマルチバンド・クロスオーバ・フィルタを用いてカットオフした複数の周波数帯の信号を適切にクロスオーバさせることで、１つのＰＡが複数の周波数帯の信号を増幅する従来技術が存在する。
【先行技術文献】
【特許文献】
【０００７】
【特許文献１】特開２００８−２２４１９号公報
【特許文献２】特開２００６−３１１５４２号公報
【特許文献３】特開２０００−２５２７７３号公報
【特許文献４】特開平１−８６０３５号公報
【発明の概要】
【発明が解決しようとする課題】
【０００８】
しかしながら、バイアスポイントを切り替える従来技術によれば、比帯域によっては広帯域に十分な歪み特性が得られない。十分な歪み特性を得るためには、高出力で信号を出力する高価な部品を用いることが求められる。このため、かかる従来技術を用いてＰＡを共用化することは望ましくない。
【０００９】
また、複数の周波数帯の信号をクロスオーバさせる従来技術によれば、同一のカットオフ周波数で２つの信号を精度よくクロスオーバさせるために、回路が複雑となり、実装面積が大きくなるとともに、回路が高価になる。また、該当従来技術によれば、抵抗を用いて信号を分配及び合成する回路が示されているが、電力効率が低く消費電力の無駄が発生する。このため、かかる従来技術を用いて信号を増幅することは望ましくない。
【００１０】
無線通信システムにおける通信端末装置は、携帯性が重視されるため、小型化及び省電力化が求められる。また、通信端末装置は、低価格で製造できることが望ましい。しかし、信号を増幅する回路が、実装面積が大きくなり、消費電力が大きくなり、又は高価格となる従来技術では、通信端末装置の小型化、省電力化及び低価格化の要請を満たすことができなかった。
【００１１】
開示技術は、上記に鑑みてなされたものであって、小型化、省電力化及び低価格化の要請を満たすことができるマルチバンド対応の通信端末装置、通信回路及び通信方法を提供することを目的とする。
【課題を解決するための手段】
【００１２】
開示技術の通信端末装置及び通信回路は、一つの態様において、第１の周波数帯の送信信号と、第１の周波数帯よりも高い周波数帯の第３の周波数帯の送信信号と、第３の周波数帯よりも高い第２の周波数帯の送信信号とを出力する送信信号出力部を有する。そして、送信信号出力部から出力された第３の周波数帯の送信信号から第１の分配信号及び第２の分配信号を生成する分配信号生成部を有する。そして、送信信号出力部から出力された第１の周波数帯の送信信号及び分配信号生成部により生成された第１の分配信号を増幅する第１の増幅部を有する。そして、送信信号出力部から出力された第２の周波数帯の送信信号及び分配信号生成部によって生成された第２の分配信号を増幅する第２の増幅部を有する。そして、第１の増幅部により増幅された第１の分配信号及び第２の増幅部により増幅された第２の分配信号を合成処理する合成処理部を有することを要件とする。
【発明の効果】
【００１３】
開示技術の一つの態様によれば、マルチバンド対応の通信端末装置において、通信回路の小型化、低価格化を図り、延いては通信端末装置本体の小型化、低価格化を図ることが可能になるという効果を奏する。
【図面の簡単な説明】
【００１４】
【図１】図１は、実施例１に係る通信端末装置の構成を示すブロック図である。
【図２】図２は、実施例２に係る通信端末装置の構成を示すブロック図である。
【図３】図３は、実施例２に係るＲＦ送信部のＨＹＢの動作を説明する図である。
【図４Ａ】図４Ａは、実施例２に係る１．５ＧＨｚ帯ＰＡの利得特性の一例を示す図である。
【図４Ｂ】図４Ｂは、実施例２に係る２．０ＧＨｚ帯ＰＡの利得特性の一例を示す図である。
【図５Ａ】図５Ａは、実施例２に係る１．５ＧＨｚ帯ＰＡ及び２．０ＧＨｚ帯ＰＡの合成電力の利得特性の一例を示す図である。
【図５Ｂ】図５Ｂは、実施例２に係る位相調整後の１．５ＧＨｚ帯ＰＡ及び２．０ＧＨｚ帯ＰＡの合成電力の電力特性の一例を示す図である。
【図６】図６は、実施例２に係るＲＦ送信部における制御手順を示すフローチャートである。
【図７】図７は、従来技術に係る通信端末装置の無線送信回路の構成を示す図である。
【発明を実施するための形態】
【００１５】
以下に、開示技術の実施例を図面に基づいて詳細に説明する。なお、以下の実施例では、通信システムが携帯電話システムであり、通信端末装置が携帯電話端末装置である場合を例として説明する。また、携帯電話端末装置は、1.5GHz、1.7GHz、2.0GHz、800MHzのクワッドバンド対応のＷ−ＣＤＭＡ方式で通信を行う場合を例として説明する。なお、以下の実施例によって開示技術が限定されるものではない。
【００１６】
すなわち、通信端末装置は、無線通信の端末装置に限られるものではなく、複数の周波数帯の信号を使用する通信システムにおけるマルチバンド対応の端末装置であれば、有線通信の端末装置であってもよい。有線通信の端末装置は、例えばケーブルテレビジョンシステムのセットトップボックスである。また、無線通信の端末装置であっても、携帯電話端末装置に限られるものではなく、無線通信機、無線通信測定器であってもよい。
【００１７】
また、クワッドバンド対応のＷ−ＣＤＭＡ方式の携帯電話端末装置に限られるものではない。通信方式は、例えばＷ−ＣＤＭＡ方式以外のＩＭＴ（International  Mobile  Telecommunication）−２０００準拠の通信方式、ＧＳＭ（Global  System  for  Mobile  Communications）方式であってもよい。また、ＬＴＥ（Long  Term  Evolution）方式であってもよい。また、いわゆる第４世代動通信システムで策定される通信方式であってもよい。
【実施例１】
【００１８】
（実施例１に係る通信端末装置の無線送信回路の構成）
図１は、実施例１に係る通信端末装置の無線送信回路の構成を示すブロック図である。図１に示すように、実施例１に係る通信端末装置１００は、送信回路１０を有する。なお、図１では、通信端末装置１００において、装置全体を制御する制御部、ベースバンド信号を処理するベースバンド部、受信電波をベースバンド信号へ復調してベースバンド部へ出力するＲＦ受信部、電源、マイク、スピーカの図示を省略している。また、第４の周波数帯の信号出力部、第４の周波数帯に対応するパワーアンプ及び分波部の図示を省略している。
【００１９】
送信回路１０は、送信信号出力部１１、分配信号生成部１２、第１増幅部１３ａ、第２増幅部１３ｂ、第１切替部１４ａ、第２切替部１４ｂ、合成処理部１５を有する。また、送信回路１０は、第１分波部１６ａ、第２分波部１６ｂ、第３分波部１６ｃ、アンテナ切替部１７、第１アンテナ１８ａ、第２アンテナ１８ｂを有する。
【００２０】
送信信号出力部１１は、図示しないベースバンド部から入力されたベースバンド信号を変調して分配信号生成部１２、第１増幅部１３ａ又は第２増幅部１３ｂへ出力する。送信信号出力部１１は、第１周波数帯出力部１１ａ、第２周波数帯出力部１１ｂ、第３周波数帯出力部１１ｃを有する。
【００２１】
第１周波数帯出力部１１ａは、ベースバンド信号を第１の周波数帯の送信信号へ変調して出力する。第２周波数帯出力部１１ｂは、ベースバンド信号を第２の周波数帯の送信信号へ変調して出力する。また、第３周波数帯出力部１１ｃは、ベースバンド信号を第３の周波数帯の送信信号へ変調して出力する。なお、第１の周波数帯、第３の周波数帯、第２の周波数帯の順序で周波数が高い。周波数帯は、「バンド」ともいう。
【００２２】
送信信号出力部１１は、通信システムにおいて利用可能な第１の周波数帯、第２の周波数帯、第３の周波数帯の何れかの周波数帯の送信信号へとベースバンド信号を変調して出力する。
【００２３】
第１周波数帯出力部１１ａは、第１の周波数帯へ変調した送信信号を第１増幅部１３ａへ出力する。第２周波数帯出力部１１ｂは、第２の周波数帯の信号へ変調した送信信号を第２増幅部１３ｂへ出力する。第３周波数帯出力部１１ｃは、第３の周波数帯の送信信号へ変調した信号を分配信号生成部１２へ出力する。
【００２４】
分配信号生成部１２は、第３周波数帯出力部１１ｃから入力された送信信号から第１の分配信号及び第２の分配信号を生成する。第１の分配信号及び第２の分配信号は、第３周波数帯出力部１１ｃから入力された送信信号の電力がそれぞれ分配された信号である。そして、分配信号生成部１２は、第１の分配信号を第１増幅部１３ａへ出力する。また、分配信号生成部１２は、第２の分配信号を第２増幅部１３ｂへ出力する。
【００２５】
第１増幅部１３ａは、第１周波数帯出力部１１ａから入力された第１の周波数帯の送信信号、及び、分配信号生成部１２から入力された第１の分配信号の電力を増幅する。第１増幅部１３ａは、第１の周波数帯の送信信号の増幅に適合する特性を有する増幅部である。
【００２６】
第１増幅部１３ａは、第１周波数帯出力部１１ａから第１の周波数帯の送信信号が入力された場合には、第１の周波数帯の送信信号の電力を増幅する。また、分配信号生成部１２から第１の分配信号が入力された場合には、第１の分配信号の電力を増幅する。そして、第１増幅部１３ａは、増幅した第１の周波数帯の送信信号又は第１の分配信号を第１切替部１４ａへ出力する。
【００２７】
第２増幅部１３ｂは、第２周波数帯出力部１１ｂから入力された第２の周波数帯の送信信号、及び、分配信号生成部１２から入力された第２の分配信号の電力を増幅する。第２増幅部１３ｂは、第２の周波数帯の送信信号の増幅に適合する特性を有する増幅部である。
【００２８】
第２増幅部１３ｂは、第２周波数帯出力部１１ｂから第２の周波数帯の送信信号が入力された場合には、第２の周波数帯の送信信号の電力を増幅する。また、分配信号生成部１２から第２の分配信号が入力された場合には、第２の分配信号の電力を増幅する。そして、第２増幅部１３ｂは、増幅した第２の周波数帯の送信信号又は第２の分配信号を第２切替部１４ａへ出力する。
【００２９】
なお、分配信号生成部１２から出力された第１の分配信号は、送信信号出力部１１の第１周波数帯出力部１１ａへ入力されることはない。また、分配信号生成部１２から出力された第２の分配信号は、送信信号出力部１１の第２周波数帯出力部１１ｂへ入力されることはない。これは、第１周波数帯出力部１１ａ及び第２周波数帯出力部１１ｂは、送信信号を出力しない時には、ハイインピーダンスとなるためである。
【００３０】
第１の切替部１４ａは、増幅した第１の周波数帯の送信信号が第１増幅部１３ａから入力された場合には、スイッチを切り替えて第１分波部１６ａへ第１の周波数帯の送信信号を出力する。また、第１の切替部１４ａは、増幅した第１の分配信号が第１増幅部１３ａから入力された場合には、スイッチを切り替えて合成処理部１５へ第１の分配信号を出力する。
【００３１】
第２の切替部１４ｂは、増幅した第２の周波数帯の送信信号が第２増幅部１３ｂから入力された場合には、スイッチを切り替えて第２分波部１６ｂへ第２の周波数帯の送信信号を出力する。また、第２の切替部１４ｂは、増幅した第２の分配信号が第２増幅部１３ｂから入力された場合には、スイッチを切り替えて合成処理部１５へ第２の分配信号を出力する。
【００３２】
合成処理部１５は、第１切替部１４ａ及び第２切替部１４ｂから入力された第１の分配信号及び第２の分配信号を電力合成する。そして、合成処理部１５は、第１の分配信号及び第２の分配信号を合成した合成信号を第３分波部１６ｃへ出力する。
【００３３】
第１分波部１６ａは、図示しないＲＦ受信部が第１の周波数帯の受信信号を受信するために送信回路１０とアンテナを共有する場合に、送信信号と受信信号との混合を回避するため、送信信号と受信信号の経路を電気的に分離する。
【００３４】
また、同様に、第２分波部１６ｂ及び第３分波部１６ｃは、図示しないＲＦ受信部が第２の周波数帯の受信信号及び第３の周波数帯の受信信号を受信するために送信回路１０とアンテナを共有する場合に、送信信号と受信信号の経路を電気的に分離する。
【００３５】
第１分波部１６ａ、第２分波部１６ｂ及び第３分波部１６ｃは、受信信号から分波した第１の周波数帯の送信信号、第２の周波数帯の送信信号又は第３の周波数帯の送信信号をアンテナ切替部１７へ出力する。
【００３６】
アンテナ切替部１７は、第１分波部１６ａ、第２分波部１６ｂ又は第３分波部１６ｃから入力された第１の周波数帯の送信信号、第２の周波数帯の送信信号又は第３の周波数帯の送信信号を第１アンテナ１８ａ又は第２アンテナ１８ｂを介して電波として送出する。
【００３７】
なお、第１増幅部１３ａ及び第２増幅部１３ｂは、アナログ回路である。アナログ回路によって増幅部を実現する場合には、回路構成が複雑、大型、かつ、高価になる。よって、搭載するアナログ回路の数が多くなると通信端末装置１００の小型化に不利となる。
【００３８】
（実施例１の効果）
上述してきたように、実施例１では、分配信号生成部１２において、第３周波数帯出力部１１ｃから出力された送信信号から第１の分配信号及び第２の分配信号を生成する。そして、第１の分配信号を第１増幅部１３ａにおいて増幅し、第２の分配信号を第２増幅部１３ｂにおいて増幅する。そして、第１増幅部１３ａで増幅した第１の分配信号及び第２増幅部１３ｂにおいて増幅した第２の分配信号を合成処理部１５で合成処理して第３の周波数帯の電波として送出する。
【００３９】
よって、第１の周波数帯、第２の周波数帯及び第３の周波数帯の信号で無線通信を行うマルチバンド対応の通信端末装置１００において、第３の周波数帯の送信信号に適合する特性を有する増幅部が省略可能になる。すなわち、送信回路１０を簡素化及び小型化して安価に構成することが可能になるので、通信端末装置１００の構成の簡素化、小型化及び製造価格の低減を図ることができる。
【実施例２】
【００４０】
（実施例２に係る通信端末装置の構成）
以下、図２〜図６を参照して、開示技術の実施例２を説明する。なお、以下の実施例２では、実施例１との差異についてのみ説明する。図２は、実施例２に係る通信端末装置の構成を示すブロック図である。図２に示すように、実施例２に係る通信端末装置２００は、ＲＦ送信部２０、ベースバンド部３１、電源ユニット３２を有する。ＲＦは、Radio  Frequencyの略であり、高周波の電気信号をいう。
【００４１】
なお、図２では、通信端末装置２００において、装置全体を制御する制御部、受信電波をベースバンド信号へ復調してベースバンド部３１へ出力するＲＦ受信部、マイク、スピーカの図示を省略している。また、800MHz帯出力部、800MHz帯に対応するパワーアンプ及び分波部の図示を省略している。
【００４２】
ベースバンド部３１は、ベースバンド信号の処理を行うとともに、ＲＦ送信部２０へベースバンド信号を出力する。また、ベースバンド部３１は、受信信号が復調されたベースバンド信号を図示しないＲＦ受信部から入力される。電源ユニット３２は、ＲＦ送信部２０へ電源を供給する。
【００４３】
ＲＦ送信部２０は、ＬＳＩ（Large  Scale  Integrated  Circuit、以下同様）２１、ＨＹＢ（Hybrid、以下同様）２２、1.5GHz帯ＰＡ２３ａ、2.0GHz帯ＰＡ２３ｂを有する。また、ＲＦ送信部２０は、SPDT-SW（Single  Pole  Double  Throw-Switch、以下同様）２４ａ、SPDT-SW２４ｂ、ＨＹＢ２５を有する。また、ＲＦ送信部２０は、1.5GHz帯DUP（DUPlexer、以下同様）２６ａ、2.0GHz帯DUP２６ｂ、1.7GHz帯DUP２６ｃ、アンテナ切替部２７、第１アンテナ２８ａ、第２アンテナ２８ｂを有する。また、ＲＦ送信部２０は、位相調整部２９、電力増幅用電源３０を有する。
【００４４】
ＬＳＩ２１は、ベースバンドを変調して、1.5GHz帯、1.7GHz帯及び2.0GHz帯の送信信号をそれぞれ出力する1.5GHz帯出力部２１ａ、2.0GHz帯出力部２１ｂ、1.7GHz帯出力部２１ｃを有する。ＬＳＩ２１は、通信システムにおいて利用可能な1.5GHz帯、1.7GHz帯又は2.0GHz帯の何れかの周波数帯の送信信号へとベースバンド信号を変調して出力する。
【００４５】
なお、1.7GHz帯出力部２１ｃは、1.7GHz帯に適合した利得特性を有する1.7GHz帯ＰＡ単体での増幅利得と比べて、1.5GHz帯ＰＡ２３ａ及び2.0GHz帯ＰＡ２３ｂにおける増幅利得の利得損失を加味した出力で1.7GHz帯の送信信号を出力する。
【００４６】
1.5GHz帯出力部２１ａは、変調した1.5GHz帯の送信信号を1.5GHz帯ＰＡ２３ａへ出力する可変アンプである。2.0GHz帯出力部２１ｂは、変調した2.0GHz帯の送信信号を2.0GHz帯ＰＡ２３ｂへ出力する可変アンプである。1.7GHz帯出力部２１ｃは、変調した1.7GHz帯の送信信号をＨＹＢ２２へ出力する可変アンプである。
【００４７】
ＨＹＢ２２は、1.7GHz帯出力部２１ｃから入力された送信信号から第１の分配信号及び第２の分配信号を生成する。第１の分配信号及び第２の分配信号は、1.7GHz帯出力部２１ｃから入力された送信信号から等分に電力が分配された信号である。そして、ＨＹＢ２２は、第１の分配信号を位相調整部２９へ出力する。また、ＨＹＢ２２は、第２の分配信号を2.0GHz帯ＰＡ２３ｂへ出力する。第１の分配信号及び第２の分配信号への電力配分比率は、等分に限らず、1.5GHz帯ＰＡ２３ａ及び2.0GHz帯ＰＡ２３ｂの利得特性に応じた比率であってもよい。この場合には、ＨＹＢ２２に代えて、信号を分岐させる分岐器を採用してもよい。
【００４８】
位相調整部２９は、ＨＹＢ２２から入力された第１の分配信号の位相を第２の分配信号の位相に同期するように調整する。第１の分配信号の位相を調整することで、1.5GHz帯ＰＡ２３ａ及び2.0GHz帯ＰＡ２３ｂで増幅された第１の分配信号及び第２の分配信号の1.7GHz帯における合成信号の利得が最大になる。位相調整部２９は、位相を調整した第１の分配信号を1.5GHz帯ＰＡ２３ａへ出力する。
【００４９】
1.5GHz帯ＰＡ２３ａは、1.5GHz帯出力部２１ａから入力された1.5GHz帯の送信信号、及び、ＨＹＢ２２から入力された第１の分配信号の電力を増幅する。1.5GHz帯ＰＡ２３ａは、電力増幅用電源３０から電源の供給を受け、1.5GHz帯の送信信号の増幅に適合する特性を有する。
【００５０】
1.5GHz帯ＰＡ２３ａは、1.5GHz帯出力部２１ａから1.5GHz帯の送信信号が入力された場合には、1.5GHz帯の送信信号の電力を増幅する。また、ＨＹＢ２２から第１の分配信号が入力された場合には、第１の分配信号の電力を増幅する。そして、1.5GHz帯ＰＡ２３ａは、増幅した1.5GHz帯の送信信号又は第１の分配信号をSPDT-SW２４ａへ出力する。
【００５１】
2.0GHz帯ＰＡ２３ｂは、2.0GHz帯出力部２１ｂから入力された2.0GHz帯の送信信号、及び、ＨＹＢ２２から入力された第２の分配信号の電力を増幅する。2.0GHz帯ＰＡ２３ｂは、電力増幅用電源３０から電源の供給を受け、2.0GHz帯の送信信号の増幅に適合する特性を有する。
【００５２】
2.0GHz帯ＰＡ２３ｂは、2.0GHz帯出力部２１ｂから2.0GHz帯の送信信号が入力された場合には、2.0GHz帯の送信信号の電力を増幅する。また、ＨＹＢ２２から第２の分配信号が入力された場合には、第２の分配信号の電力を増幅する。そして、2.0GHz帯ＰＡ２３ｂは、増幅した2.0GHz帯の送信信号又は第２の分配信号をSPDT-SW２４ｂへ出力する。
【００５３】
なお、ＨＹＢ２２から出力された第１の分配信号は、ＬＳＩ２１の1.5GHz帯出力部２１ａへ入力されることはない。また、ＨＹＢ２２から出力された第２の分配信号は、ＬＳＩ２１の2.0GHz帯出力部２１ｂへ入力されることはない。これは、1.5GHz帯出力部２１ａ及び2.0GHz帯出力部２１ｂは、送信信号を出力しない時には、ハイインピーダンスとなるためである。
【００５４】
SPDT-SW２４ａは、増幅された1.5GHz帯の送信信号が1.5GHz帯ＰＡ２３ａから入力された場合には、ＬＳＩ２１の制御によってスイッチを切り替えて1.5GHz帯DUP２６ａへ1.5GHz帯の送信信号を出力する１入力２出力のスイッチである。また、SPDT-SW２４ａは、増幅した第１の分配信号が1.5GHz帯ＰＡ２３ａから入力された場合には、スイッチを切り替えてＨＹＢ２５へ第１の分配信号を出力する。
【００５５】
SPDT-SW２４ｂは、増幅した2.0GHz帯の送信信号が2.0GHz帯ＰＡ２３ｂから入力された場合には、ＬＳＩ２１の制御によってスイッチを切り替えて2.0GHz帯DUP２６ｂへ2.0GHz帯の送信信号を出力する１入力２出力のスイッチである。また、SPDT-SW２４ｂは、増幅した第２の分配信号が2.0GHz帯ＰＡ２３ｂから入力された場合には、スイッチを切り替えてＨＹＢ２５へ第２の分配信号を出力する。
【００５６】
ＨＹＢ２５は、SPDT-SW２４ａ及びSPDT-SW２４ｂから入力された第１の分配信号及び第２の分配信号を合成処理する。そして、ＨＹＢ２５は、第１の分配信号及び第２の分配信号を合成した合成信号を1.7GHz帯DUP２６ｃへ出力する。
【００５７】
1.5GHz帯DUP２６ａは、図示しないＲＦ受信部が1.5GHz帯の受信信号を受信するためにＲＦ送信部２０とアンテナを共有する場合に、送信信号と受信信号との混合を回避するため、送信信号の経路と受信信号の経路を電気的に分離する。
【００５８】
また、同様に、2.0GHz帯DUP２６ｂ及び1.7GHz帯DUP２６ｃは、図示しないＲＦ受信部が2.0GHz帯の受信信号及び1.7GHz帯の受信信号を受信するためにＲＦ送信部２０とアンテナを共有する場合に、送信信号と受信信号の経路を電気的に分離する。
【００５９】
1.5GHz帯DUP２６ａ、1.7GHz帯DUP２６ｂ及び2.0GHz帯DUP２６ｃは、受信信号から分波した1.5GHz帯の送信信号、1.7GHz帯の送信信号又は2.0GHz帯の送信信号をアンテナ切替部２７へ出力する。
【００６０】
アンテナ切替部２７は、1.5GHz帯DUP２６ａ、1.7GHz帯DUP２６ｂ又は2.0GHz帯DUP２６ｃから入力された1.5GHz帯の送信信号、1.7GHz帯の送信信号又は2.0GHz帯の送信信号を第１アンテナ２８ａ又は第２アンテナ２８ｂを介して電波として送出する。
【００６１】
（実施例２に係るＨＹＢの動作）
図３は、実施例２に係るＲＦ送信部のＨＹＢの動作を説明する図である。HYBRID（ＨＹＢ２２、ＨＹＢ２５）は、アイソレーションを有する回路である。図３に示すように、３つの入出力ポートを有する回路を例として説明する。HYBRIDは、PORT1とPORT2との間にアイソレーションがあって、信号の伝達が行われないことを特徴とする。
【００６２】
HYBRIDにおいて、PORT1に信号を入力すると、SUM  PORTからは信号が出力されるが、PORT2からは信号は出力されない。同様に、PORT2に信号を入力すると、PORT1からは信号は出力されない。このように、PORT1とPORT2と分離の評価を電力比［ｄＢ］で表したものがアイソレーションである。
【００６３】
HYBRIDは、パワー・スプリッタ（分配器）／パワー・コンバイナ（合成器）と呼ばれ、信号の分配及び合成を行う。SUM  PORT、PORT1及びPORT2が独立した等しいインピーダンスになっている場合には、SUM  PORTから入力した信号をPORT1及びPORT2から第１の分配信号及び第２の分配信号をそれぞれ出力する分配器として動作する。また、SUM  PORT、PORT1及びPORT2が等しく終端されている場合には、PORT1及びPORT2に信号を入力した場合には、SUM  PORTから合成信号を出力する合成器として動作する。
【００６４】
（実施例２に係るＰＡの利得特性の一例）
図４Ａは、実施例２に係る１．５ＧＨｚ帯ＰＡの利得特性の一例を示す図である。また、図４Ｂは、実施例２に係る２．０ＧＨｚ帯ＰＡの利得特性の一例を示す図である。また、図５Ａは、実施例２に係る１．５ＧＨｚ帯ＰＡ及び２．０ＧＨｚ帯ＰＡの合成電力の利得特性の一例を示す図である。また、図５Ｂは、実施例２に係る位相調整後の１．５ＧＨｚ帯ＰＡ及び２．０ＧＨｚ帯ＰＡの合成電力の電力特性の一例を示す図である。
【００６５】
1.7GHz帯の送信信号の第１の分配信号が後段の1.5GHz帯ＰＡ２３ａで増幅される際に、1.5GHz帯ＰＡ２３ａの利得特性の影響を受ける。このため、図４Ａに示すように、増幅された利得は、必要帯域である1.7GHz帯よりも低い1.2GHz〜1.4GHz周辺の帯域でピークとなる。
【００６６】
また、1.7GHz帯の送信信号の第２の分配信号が後段の2.0GHz帯ＰＡ２３ｂで増幅される際に、2.0GHz帯ＰＡ２３ｂの利得特性の影響を受ける。このため、図４Ｂに示すように、増幅された利得は、必要帯域である1.7GHz帯よりも高い1.8GHz〜1.9GHz周辺の帯域でピークとなる。
【００６７】
すなわち、第１の分配信号及び第２の分配信号が後段の1.5GHz帯ＰＡ２３ａ及び2.0GHz帯ＰＡ２３ｂそれぞれで増幅される際に、各ＰＡの特性が異なるため、各ＰＡにおいて増幅された利得がピークとなる周波数帯が異なる。よって、図５Ａに示すように、増幅された第１の分配信号及び第２の分配信号それぞれの1.7GHz帯を合成しても、必要帯域である1.7GHz帯において十分な利得を得ることができない。
【００６８】
そこで、位相調整部２９は、第１の分配信号の位相を進め又は遅らせて第２の分配信号の位相と同期させる。そして、増幅した第１の分配信号及び第２の分配信号それぞれの1.7GHz帯の電力を合成することで、図５Ｂに示すように、必要帯域である1.7GHz帯において十分な利得の合成信号を得ることができる。
【００６９】
（実施例２に係るＲＦ送信部の制御）
図６は、実施例２に係るＲＦ送信部における制御手順を示すフローチャートである。なお、ＲＦ送信部における制御開始に先立って、SPDT-SW２４ａ及びSPDT-SW２４ｂは、いずれもオフとなっている。
【００７０】
先ず、ＲＦ送信部２０のＬＳＩ２１は、1.7GHz帯の送信信号を出力するか否かを判定する（ステップＳ１０１）。1.7GHz帯の送信信号を出力する場合には（ステップＳ１０１Ｙｅｓ）、ステップＳ１０２へ移り、1.7GHz帯の送信信号を出力しない場合には（ステップＳ１０１Ｎｏ）、ステップＳ１０６へ移る。
【００７１】
ステップＳ１０２では、ＬＳＩ２１は、1.7GHz帯可変アンプ（1.7GHz帯出力部２１ｃ）から1.7GHz帯の送信信号を出力する。続いて、ＬＳＩ２１は、SPDT-SW２４ａ及びSPDT-SW２４ｂをＨＹＢ２５と接続する経路側へオンする（ステップＳ１０３）。
【００７２】
続いて、ＬＳＩ２１は、第１アンテナ２８ａ又は第２アンテナ２８ｂを介して1.7GHz帯の送信信号の送出が終了したか否かを判定する（ステップＳ１０４）。1.7GHz帯の送信信号の送出が終了したと判定された場合には（ステップＳ１０４Ｙｅｓ）、ステップＳ１０５へ移り、1.7GHz帯の送信信号の送出が終了したと判定さなかった場合には（ステップＳ１０４Ｎｏ）、ステップＳ１０１へ移る。ステップＳ１０５では、ＬＳＩ２１は、SPDT-SW２４ａ及びSPDT-SW２４ｂをオフにする。
【００７３】
ステップＳ１０６では、ＬＳＩ２１は、1.5GHz帯の送信信号を出力するか否かを判定する。1.5GHz帯の送信信号を出力する場合には（ステップＳ１０６Ｙｅｓ）、ステップＳ１０７へ移り、1.5GHz帯の送信信号を出力しない場合には（ステップＳ１０６Ｎｏ）、ステップＳ１０９へ移る。
【００７４】
ステップＳ１０７では、ＬＳＩ２１は、1.5GHz帯可変アンプ（1.5GHz帯出力部２１ａ）から1.5GHz帯の送信信号を出力する。続いて、ＬＳＩ２１は、SPDT-SW２４ａを1.5GHz帯DUP２６ａと接続する経路側へオンする（ステップＳ１０８）。
【００７５】
続いて、ＬＳＩ２１は、第１アンテナ２８ａ又は第２アンテナ２８ｂを介して1.5GHz帯の送信信号の送出が終了したか否かを判定する（ステップＳ１０４）。1.5GHz帯の送信信号の送出が終了したと判定された場合には（ステップＳ１０４Ｙｅｓ）、ステップＳ１０５へ移り、1.5GHz帯の送信信号の送出が終了したと判定さなかった場合には（ステップＳ１０４Ｎｏ）、ステップＳ１０１へ移る。
【００７６】
ステップＳ１０９では、ＬＳＩ２１は、2.0GHz帯可変アンプ（2.0GHz帯出力部２１ｂ）から2.0GHz帯の送信信号を出力する。続いて、ＬＳＩ２１は、SPDT-SW２４ｂを2.0GHz帯DUP部２６ｂと接続する経路側へオンする（ステップＳ１１０）。
【００７７】
続いて、ＬＳＩ２１は、第１アンテナ２８ａ又は第２アンテナ２８ｂを介して2.0GHz帯の送信信号の送出が終了したか否かを判定する（ステップＳ１０４）。2.0GHz帯の送信信号の送出が終了したと判定された場合には（ステップＳ１０４Ｙｅｓ）、ステップＳ１０５へ移り、2.0GHz帯の送信信号の送出が終了したと判定さなかった場合には（ステップＳ１０４Ｎｏ）、ステップＳ１０１へ移る。
【００７８】
（実施例２の効果）
上述してきたように、実施例２では、1.5GHz帯及び2.0GHz帯の間の1.7GHz帯の送信信号を出力する1.7GHz帯出力部２１ｃから出力された送信信号をＨＹＢ２２で第１の分配信号及び第２の分配信号へ分配する。そして、第１の分配信号及び第２の分配信号を1.5GHz帯ＰＡ２４ａ及び2.0GHz帯ＰＡ２４ｂそれぞれで増幅する。そして、1.5GHz帯ＰＡ２４ａ及び2.0GHz帯ＰＡ２４ｂそれぞれで増幅した第１の分配信号及び第２の分配信号をＨＹＢ２５で合成して1.7GHz帯の電波として送出する。
【００７９】
よって、1.5GHz帯、1.7GHz帯及び2.0GHz帯の信号で無線通信を行うマルチバンド対応の通信端末装置２００において、1.7GHz帯の送信信号に適合する特性を有する増幅部が省略可能になる。すなわち、ＲＦ送信部２０を簡素化及び小型化して安価に構成することが可能になるので、通信端末装置２００の構成の簡素化、小型化及び製造価格の低減を図ることができる。
【００８０】
また、位相調整部２９は、第１の分配信号の位相を第２の分配信号の位相と同期するように進め又は遅らせて調整する。そして、増幅した第１の分配信号及び第２の分配信号それぞれの1.7GHz帯の電力を合成することで、必要帯域である1.7GHz帯において十分な利得の合成信号を得ることができる。よって、通信システムにおいて、通信端末装置２００内に1.7GHz帯に適合する利得特性を有する増幅部を設けずとも1.7GHz帯の送信信号を十分に増幅することができる。したがって、1.7GHz帯の電波による無線通信の通信品質の低下を抑制しつつ、通信端末装置２００の装置構成の簡略化を図ることができる。
【００８１】
（他の実施例の一例）
実施例２において、位相調整部２９は、ＨＹＢ２２の後段かつ1.5GHz帯ＰＡ２３ａの前段に設けられるとした。しかし、位相調整部２９は、SPDT-SW２４ａの後段かつＨＹＢ２５の前段に設けられてもよい。また、位相調整部は、ＨＹＢ２２の後段かつ2.0GHz帯ＰＡ２３ｂの前段、及び、SPDT-SW２４ｂの後段かつＨＹＢ２５の前段に設けられてもよい。
【００８２】
実施例１において、送信信号出力部１１が有する出力部は、第１周波数帯出力部１１ａ、第２周波数帯出力部１１ｂ、第３周波数帯出力部１１ｃの３つに限られるものではない。また、実施例２で示したＬＳＩ２１が有する出力部は1.5GHz帯出力部２１ａ、2.0GHz帯出力部２１ｂ、1.7GHz帯出力部２１ｃの３つに限られるものではない。出力部は、マルチバンド対応の通信システムにおいて使用する電波の周波数帯の数に応じて設けられてもよい。
【００８３】
また、出力部に対応して後段に設けられる増幅器及びＰＡ、切替部及びSPDT-SW、分波部及びDUPについても同様である。また、アンテナの数は、それぞれ、第１アンテナ１８ａ及び第２アンテナ１８ｂ、第１アンテナ２８ａ及び第２アンテナ２８ｂの２つとしたが、２つに限定されるものではない。また、1.5GHz、1.7GHz及び2.0GHzの周波数帯は、一例を示したに過ぎない。
【００８４】
実施例１及び実施例２では、ａ＜ｂ＜ｃの大小関係を満たす３つの周波数帯ａ［Hz］〜ｃ［Hz］の電波を使用して通信可能な通信端末装置において、周波数帯ａ及びｃに対応して設けられた増幅器又はＰＡを使用して、周波数帯ｂの送信信号の増幅を行うとした。しかし、ａ＜ｂ＜ｃ＜ｄの大小関係を満たす４つの周波数帯ａ［Hz］〜ｄ［Hz］の電波を使用して通信可能な通信端末装置において、周波数帯ａ及びｄに対応して設けられた増幅器又はＰＡを使用して、周波数帯ｂ及び／又はｃの送信信号の増幅を行ってもよい。
【００８５】
また、ａ＜ｂ＜ｃ＜ｄの大小関係を満たす４つの周波数帯ａ［Hz］〜ｄ［Hz］の電波を使用して通信可能な通信端末装置において、周波数帯ａ及びｃに対応して設けられた増幅器又はＰＡを使用して、周波数帯ｂの送信信号の増幅を行ってもよい。また、同様に、周波数帯ｂ及びｄに対応して設けられた増幅器又はＰＡを使用して、周波数帯ｃの送信信号の増幅を行ってもよい。
【００８６】
実施例１及び実施例２では、通信システムは携帯電話システムであり、通信端末装置は携帯電話端末装置であるとした。しかし、通信システムは有線通信システムであっても開示技術は適用可能である。この場合には、実施例１では、アンテナ切替部１７は有線通信インターフェースに相当し、第１アンテナ１８ａ及び第２アンテナ１８ｂは有線通信の各ポートに相当する。
【００８７】
以上の各実施例を含む実施形態に関し、さらに以下の付記を開示する。
【００８８】
（付記１）第１の周波数帯の送信信号と、前記第１の周波数帯よりも高い周波数帯の第２の周波数帯の送信信号と、前記第１の周波数帯及び前記第２の周波数帯の間の第３の周波数帯の送信信号とを出力する送信信号出力部と、
前記送信信号出力部から出力された前記第３の周波数帯の送信信号から第１の分配信号及び第２の分配信号を生成する分配信号生成部と、
前記送信信号出力部から出力された前記第１の周波数帯の送信信号及び前記分配信号生成部により生成された前記第１の分配信号を増幅する第１の増幅部と、
前記送信信号出力部から出力された前記第２の周波数帯の送信信号及び前記分配信号生成部により生成された前記第２の分配信号を増幅する第２の増幅部と、
前記第１の増幅部により増幅された第１の分配信号及び前記第２の増幅部により増幅された第２の分配信号を合成処理する合成処理部と
を備えたことを特徴とする通信端末装置。
【００８９】
（付記２）前記分配信号生成部により生成された前記第１の分配信号の位相を調整する位相調整部をさらに備え、
前記第１の増幅部は、前記位相調整部により位相が調整された前記第１の分配信号を増幅することを特徴とする付記１記載の通信端末装置。
【００９０】
（付記３）前記第１の増幅部により増幅された前記第１の周波数帯の送信信号と、第１の周波数帯の受信信号とを分波する第１の分波部と、
前記第２の増幅部により増幅された前記第２の周波数帯の送信信号と、第２の周波数帯の受信信号とを分波する第２の分波部と、
前記第１の増幅部及び前記第２の増幅部により増幅され、前記合成処理部により合成された前記第１の分配信号及び前記第２の分配信号と、第３の周波数帯の受信信号とを分波する第３の分波部と、
前記第１の増幅部により増幅された前記第１の周波数帯の送信信号を前記第１の分波部へと入力し、前記第１の増幅部により増幅された前記第１の分配信号を前記合成処理部へと入力する入力の切り替えを行う第１の切替部と、
前記第２の増幅部により増幅された前記第２の周波数帯の送信信号を前記第２の分波部へと入力し、前記第２の増幅部により増幅された前記第２の分配信号を前記合成処理部へと入力する入力の切り替えを行う第２の切替部と
をさらに備えたことを特徴とする付記１又は２記載の通信端末装置。
【００９１】
（付記４）前記送信信号出力部は、さらに、前記第１の周波数帯の送信信号、前記第２の周波数帯の送信信号、又は、前記第３の周波数帯の送信信号のいずれかの出力に応じて前記第１の切替部及び前記第２の切替部における前記入力の切り替えを制御することを特徴とする付記３記載の通信端末装置。
【００９２】
（付記５）通信端末装置の通信回路が行う通信方法であって、
第１の周波数帯の送信信号と、前記第１の周波数帯よりも高い周波数帯の第２の周波数帯の送信信号と、前記第１の周波数帯及び前記第２の周波数帯の間の第３の周波数帯の送信信号とを出力する送信信号出力ステップと、
前記送信信号出力ステップにより出力された前記第３の周波数帯の送信信号から第１の分配信号及び第２の分配信号を生成するする分配信号生成ステップと、
前記分配信号生成ステップにより分配された前記第１の分配信号の位相を調整する位相調整ステップと、
前記送信信号出力ステップにより出力された前記第１の周波数帯、及び、前記位相調整ステップにより位相が調整された前記第１の分配信号を増幅する第１の増幅ステップと、
前記送信信号出力ステップにより出力された前記第２の周波数帯、及び、前記分配ステップにより分配された前記第２の分配信号を増幅する第２の増幅ステップと、
前記第１の増幅ステップにより増幅された前記第１の分配信号及び前記第２の増幅ステップにより増幅された前記第２の分配信号を合成処理する合成処理ステップと
を含んだことを特徴とする通信方法。
【００９３】
（付記６）第１の周波数帯の送信信号と、前記第１の周波数帯よりも高い周波数帯の第２の周波数帯の送信信号と、前記第１の周波数帯及び前記第２の周波数帯の間の第３の周波数帯の送信信号とを出力する送信信号出力部と、
前記送信信号出力部から出力された前記第３の周波数帯の送信信号から第１の分配信号及び第２の分配信号を生成する分配信号生成部と、
前記送信信号出力部から出力された前記第１の周波数帯の送信信号及び前記分配信号生成部により生成された前記第１の分配信号を増幅する第１の増幅部と、
前記送信信号出力部から出力された前記第２の周波数帯の送信信号及び前記分配信号生成部により分配された前記第２の分配信号を増幅する第２の増幅部と、
前記第１の増幅部により増幅された前記第１の分配信号及び前記第２の増幅部により増幅された前記第２の分配信号を合成処理する合成処理部と
を備えたことを特徴とする通信回路。
【００９４】
（付記７）前記分配信号生成部により生成された前記第１の分配信号の位相を調整する位相調整部をさらに備え、
前記第１の増幅部は、前記位相調整部により位相が調整された前記第１の分配信号を増幅することを特徴とする付記６記載の通信回路。
【００９５】
（付記８）前記第１の増幅部により増幅された前記第１の周波数帯の送信信号と、第１の周波数帯の受信信号とを分波する第１の分波部と、
前記第２の増幅部により増幅された前記第２の周波数帯の送信信号と、第２の周波数帯の受信信号とを分波する第２の分波部と、
前記第１の増幅部及び前記第２の増幅部により増幅され、前記合成処理部により合成処理された前記第１の分配信号及び前記第２の分配信号と、第３の周波数帯の受信信号とを分波する第３の分波部と、
前記第１の増幅部により増幅された前記第１の周波数帯の送信信号を前記第１の分波部へと入力し、前記第１の増幅部により増幅された前記第１の分配信号を前記合成処理部へと入力する入力の切り替えを行う第１の切替部と、
前記第２の増幅部により増幅された前記第２の周波数帯の送信信号を前記第２の分波部へと入力し、前記第２の増幅部により増幅された前記第２の分配信号を前記合成処理部へと入力する入力の切り替えを行う第２の切替部と
をさらに備えたことを特徴とする付記６又は７記載の通信回路。
【００９６】
（付記９）前記送信信号出力部は、さらに、前記第１の周波数帯の送信信号、前記第２の周波数帯の送信信号、又は、前記第３の周波数帯の送信信号の出力に応じて前記第１の切替部及び前記第２の切替部における前記入力の切り替えを制御することを特徴とする付記８記載の通信回路。
【符号の説明】
【００９７】
１０  送信回路
１１  送信信号出力部
１１ａ  第１周波数帯出力部
１１ｂ  第２周波数帯出力部
１１ｃ  第３周波数帯出力部
１２  分配信号生成部
１３ａ  第１増幅部
１３ｂ  第２増幅部
１４ａ  第１切替部
１４ｂ  第２切替部
１５  合成処理部
１６ａ  第１分波部
１６ｂ  第２分波部
１６ｃ  第３分波部
１７、２７  アンテナ切替部
１８ａ、２８ａ  第１アンテナ
１８ｂ、２８ｂ  第２アンテナ
２０  ＲＦ送信部
２１ａ  1.5GHz帯出力部
２１ｂ  2.0GHz帯出力部
２１ｃ  1.7GHz帯出力部
２２、２５  ＨＹＢ
２３ａ  1.5GHz帯ＰＡ
２３ｂ  2.0GHz帯ＰＡ
２６ａ  1.5GHz帯DUP
２６ｂ  2.0GHz帯DUP
２６ｃ  1.7GHz帯DUP
２９  位相調整部
３０  電力増幅用電源
３１  ベースバンド部
３２  電源ユニット
１００、２００  通信端末装置
【図１】
2011114367.tif 000003
【図２】
2011114367.tif 000004
【図３】
2011114367.tif 000005
【図４Ａ】
2011114367.tif 000006
【図４Ｂ】
2011114367.tif 000007
【図５Ａ】
2011114367.tif 000008
【図５Ｂ】
2011114367.tif 000009
【図６】
2011114367.tif 000010
【図７】
2011114367.tif 000011